(57)【要約】【課題】情報処理装置の構成が変更された場合に、余分な記憶領域を消費してしまうことを抑制して、他の情報処理装置に対して、設定の複製を要求することができる情報処理装置を提供する。【解決手段】情報処理装置の抽出手段は、本情報処理装置に関する構成を変更するイベントが発生した場合、変更が必要な設定を抽出し、要求手段は、前記抽出手段によって抽出された設定を保有する他の情報処理装置に、本情報処理装置へ該設定を複製するよう要求する。【選択図】図１
2019153202.tif 000002
【特許請求の範囲】
【請求項１】
本情報処理装置に関する構成を変更するイベントが発生した場合、変更が必要な設定を抽出する抽出手段と、
前記抽出手段によって抽出された設定を保有する他の情報処理装置に、本情報処理装置へ該設定を複製するよう要求する要求手段
を有する情報処理装置。
【請求項２】
他の情報処理装置の要求手段から複製の要求を受け付けた場合は、該他の情報処理装置に対し、該要求にしたがった設定の複製を行う複製手段
をさらに有する請求項１に記載の情報処理装置。
【請求項３】
前記イベントとして、本情報処理装置のハードウェアオプション若しくは増設ユニットの着脱、ファームウェア若しくはアプリケーションのセットアップ若しくは変更、管理者の権限に関する設定変更、又は、ユーザーごとの設定の変更を含む、
請求項１に記載の情報処理装置。
【請求項４】
前記イベントを検知した場合に変更が必要な設定として、着脱されたハードウェアオプション若しくは増設ユニットの運用設定、セットアップ若しくは変更されたファームウェア若しくはアプリケーションの運用設定、管理者の権限の設定変更、又は、ユーザーごとの設定の変更を含む、
請求項３に記載の情報処理装置。
【請求項５】
前記変更が必要な設定として、請求項４で変更の対象となった設定に関連して変更が必要となる設定を含む、
請求項４に記載の情報処理装置。
【請求項６】
前記要求手段は、前記抽出手段によって抽出された設定を保有する他の情報処理装置が複数ある場合は、本情報処理装置と該他の情報処理装置との構成に基づいて、要求を行う対象である情報処理装置を選定する、
請求項１に記載の情報処理装置。
【請求項７】
前記要求手段は、前記抽出手段によって抽出された複数の設定と同じ設定を保有する他の情報処理装置が存在しない場合は、個々の設定を有している複数の他の情報処理装置を選定する、
請求項１に記載の情報処理装置。
【請求項８】
前記要求手段は、前記他の情報処理装置が複製されている場合は、該他の情報処理装置に対して、複製の要求を行わない、
請求項１に記載の情報処理装置。
【請求項９】
前記要求手段による要求ができない場合は、既存の複製処理又は手動による複製処理を促すためユーザーに対して通知を行う、
請求項１に記載の情報処理装置。
【請求項１０】
前記要求ができない場合として、対象となる設定を保有する他の情報処理装置が存在しない場合である、
請求項９に記載の情報処理装置。
【請求項１１】
複製にふさわしくない設定が存在する場合、該設定に関する通知をユーザーに対して行う通知手段
をさらに有する請求項２に記載の情報処理装置。
【請求項１２】
本第１の情報処理装置に関する構成を変更するイベントが発生した場合、変更が必要な設定を抽出する抽出手段と、
前記抽出手段によって抽出された設定を保有する他の第２の情報処理装置に、本第１の情報処理装置へ該設定を複製するよう要求する要求手段
を有する第１の情報処理装置と、
前記第１の情報処理装置と通信回線を介して接続されており、
前記第１の情報処理装置の要求手段から複製の要求を受け付けた場合は、該第１の情報処理装置に対し、該要求にしたがった設定の複製を行う複製手段
を有する第２の情報処理装置
を有する情報処理システム。
【請求項１３】
情報処理装置であるコンピュータを、
前記情報処理装置に関する構成を変更するイベントが発生した場合、変更が必要な設定を抽出する抽出手段と、
前記抽出手段によって抽出された設定を保有する他の情報処理装置に、前記情報処理装置へ該設定を複製するよう要求する要求手段
として機能させるための情報処理プログラム。
【発明の詳細な説明】
【技術分野】
【０００１】
本発明は、情報処理装置、情報処理システム及び情報処理プログラムに関する。
【背景技術】
【０００２】
特許文献１には、設定情報をインポートする際に他の設定項目に影響を及ぼすことが無い設定項目であれば、自装置において未だ有効化されていない機能であってもインポートすることができる画像形成装置を提供することを課題とし、画像形成装置の依存関係テーブル格納部には、自装置の設定情報に含まれる一の設定項目が他の一の設定項目に及ぼす影響の有無を設定項目間の依存関係として規定したデータが格納され、インポートレベル決定部は、他装置の識別情報と、自装置の識別情報と比較し、その結果に基づき他装置の設定情報を自装置の設定情報に反映する際のインポートレベルを決定し、設定項目反映部は、決定されたインポートレベルに応じて他装置の設定情報を自装置の設定情報に反映することが開示されている。
【０００３】
特許文献２には、アドレス情報の登録件数が多いアドレス帳を登録件数の少ない異機種へのアドレス帳へ配信するときの重要なアドレス情報の欠落を防止することを課題とし、第１処理装置がアドレス帳をサーバ装置へエクスポートし、サーバ装置は、アドレス帳に登録されたアドレス情報の種別タグごとに優先順位を設定するとともに、優先順位に従う順番で種別タグが設定されているアドレス情報を順次選択し、選択した順にアドレス情報を記録したアドレス帳を生成し、その後、第２処理装置のアドレス帳に、このアドレス帳をインポートさせ、これにより、アドレス帳におけるアドレス情報の登録件数がアドレス帳より少ない場合であっても、優先順位の高いアドレス情報がアドレス帳において欠落することがないことが開示されている。
【０００４】
特許文献３には、複数のアプリケーションを制御する画像形成装置であって、接続された機器から入力される設定情報をテンポラリ領域に保存する保存手段と、前記テンポラリ領域に保存された設定情報から、機種管理番号及び機体管理番号を少なくとも含む機器識別情報を取得する取得手段と、前記取得手段により取得された機器識別情報と自装置の機種管理番号及び機体管理番号との比較の結果として、（１）前記取得手段により取得された機器識別情報に含まれる機種管理番号及び機体管理番号が、自装置の機種管理番号及び機体管理番号と一致する場合と、（２）前記取得手段により取得された機器識別情報に含まれる機種管理番号が自装置の機種管理番号と一致し、機器識別情報に含まれる機体管理番号が自装置の機体管理番号と一致しない場合と、（３）前記取得手段により取得された機器識別情報に含まれる機種管理番号が自装置の機種管理番号と一致しない場合と、でそれぞれ異なる１つのインポートレベルを、３つのインポートレベルの中から決定する決定手段と、前記決定されたインポートレベルと、前記テンポラリ領域に保存された設定情報に含まれる複数の設定値のそれぞれに対応する属性に応じて、該設定情報から自装置に対して反映すべき１以上の設定値を抽出する抽出手段と、前記抽出手段により抽出された１以上の設定値を各アプリケーションでの制御に利用するためのストレージに格納する格納手段と、を有し、前記設定値に対応する属性には、（一）インポート対象外、（二）前記取得手段により取得された機器識別情報に含まれる機種管理番号及び機体管理番号が、自装置の機種管理番号及び機体管理番号と一致する場合のみインポート可、（三）前記取得手段により取得された機器識別情報に含まれる機種管理番号が自装置の機種管理番号と一致し、機器識別情報に含まれる機体管理番号が自装置の機体管理番号と一致しない場合にもインポート可、及び、（四）前記取得手段により取得された機器識別情報に含まれる機種管理番号が自装置の機種管理番号と一致しない場合にもインポート可の４つの属性が存在し、前記抽出手段は、前記決定手段が決定した前記インポートレベルにおいてインポート可能な設定値であることを示す属性に対応する設定値を抽出することが開示されている。
【先行技術文献】
【特許文献】
【０００５】
【特許文献１】特開２０１５−１５３３５０号公報
【特許文献２】特開２０１５−１７６４８０号公報
【特許文献３】特許第５９３９７４２号公報
【発明の概要】
【発明が解決しようとする課題】
【０００６】
例えば、ある情報処理装置においてアプリケーションの設定を行い、他の情報処理装置でも同様のアプリケーションの設定を行いたい場合がある。他の情報処理装置での再度設定という労力を軽減するために、従来より複製処理（クローニングともいわれる）による設定同期法が利用されている。
ただし、情報処理装置のハードウェアオプション等の構成によって、設定項目が異なる。その結果、現状は使用していない設定項目も含めて、複製処理が行われている。そのため、使用していない設定項目について記憶領域が余分に必要となってしまう。
本発明は、情報処理装置の構成が変更された場合に、余分な記憶領域を消費してしまうことを抑制して、他の情報処理装置に対して、設定の複製を要求することができる情報処理装置、情報処理システム及び情報処理プログラムを提供することを目的としている。
【課題を解決するための手段】
【０００７】
かかる目的を達成するための本発明の要旨とするところは、次の各項の発明に存する。
請求項１の発明は、本情報処理装置に関する構成を変更するイベントが発生した場合、変更が必要な設定を抽出する抽出手段と、前記抽出手段によって抽出された設定を保有する他の情報処理装置に、本情報処理装置へ該設定を複製するよう要求する要求手段を有する情報処理装置である。
【０００８】
請求項２の発明は、他の情報処理装置の要求手段から複製の要求を受け付けた場合は、該他の情報処理装置に対し、該要求にしたがった設定の複製を行う複製手段をさらに有する請求項１に記載の情報処理装置である。
【０００９】
請求項３の発明は、前記イベントとして、本情報処理装置のハードウェアオプション若しくは増設ユニットの着脱、ファームウェア若しくはアプリケーションのセットアップ若しくは変更、管理者の権限に関する設定変更、又は、ユーザーごとの設定の変更を含む、請求項１に記載の情報処理装置である。
【００１０】
請求項４の発明は、前記イベントを検知した場合に変更が必要な設定として、着脱されたハードウェアオプション若しくは増設ユニットの運用設定、セットアップ若しくは変更されたファームウェア若しくはアプリケーションの運用設定、管理者の権限の設定変更、又は、ユーザーごとの設定の変更を含む、請求項３に記載の情報処理装置である。
【００１１】
請求項５の発明は、前記変更が必要な設定として、請求項４で変更の対象となった設定に関連して変更が必要となる設定を含む、請求項４に記載の情報処理装置である。
【００１２】
請求項６の発明は、前記要求手段は、前記抽出手段によって抽出された設定を保有する他の情報処理装置が複数ある場合は、本情報処理装置と該他の情報処理装置との構成に基づいて、要求を行う対象である情報処理装置を選定する、請求項１に記載の情報処理装置である。
【００１３】
請求項７の発明は、前記要求手段は、前記抽出手段によって抽出された複数の設定と同じ設定を保有する他の情報処理装置が存在しない場合は、個々の設定を有している複数の他の情報処理装置を選定する、請求項１に記載の情報処理装置である。
【００１４】
請求項８の発明は、前記要求手段は、前記他の情報処理装置が複製されている場合は、該他の情報処理装置に対して、複製の要求を行わない、請求項１に記載の情報処理装置である。
【００１５】
請求項９の発明は、前記要求手段による要求ができない場合は、既存の複製処理又は手動による複製処理を促すためユーザーに対して通知を行う、請求項１に記載の情報処理装置である。
【００１６】
請求項１０の発明は、前記要求ができない場合として、対象となる設定を保有する他の情報処理装置が存在しない場合である、請求項９に記載の情報処理装置である。
【００１７】
請求項１１の発明は、複製にふさわしくない設定が存在する場合、該設定に関する通知をユーザーに対して行う通知手段をさらに有する請求項２に記載の情報処理装置である。
【００１８】
請求項１２の発明は、本第１の情報処理装置に関する構成を変更するイベントが発生した場合、変更が必要な設定を抽出する抽出手段と、前記抽出手段によって抽出された設定を保有する他の第２の情報処理装置に、本第１の情報処理装置へ該設定を複製するよう要求する要求手段を有する第１の情報処理装置と、前記第１の情報処理装置と通信回線を介して接続されており、前記第１の情報処理装置の要求手段から複製の要求を受け付けた場合は、該第１の情報処理装置に対し、該要求にしたがった設定の複製を行う複製手段を有する第２の情報処理装置を有する情報処理システムである。
【００１９】
請求項１３の発明は、情報処理装置であるコンピュータを、前記情報処理装置に関する構成を変更するイベントが発生した場合、変更が必要な設定を抽出する抽出手段と、前記抽出手段によって抽出された設定を保有する他の情報処理装置に、前記情報処理装置へ該設定を複製するよう要求する要求手段として機能させるための情報処理プログラムである。
【発明の効果】
【００２０】
請求項１の情報処理装置によれば、情報処理装置の構成が変更された場合に、余分な記憶領域を消費してしまうことを抑制して、他の情報処理装置に対して、設定の複製を要求することができる。
【００２１】
請求項２の情報処理装置によれば、他の情報処理装置から複製の要求を受け付けた場合は、他の情報処理装置に対し、その要求にしたがった設定の複製を行うことができる。
【００２２】
請求項３の情報処理装置によれば、本情報処理装置のハードウェアオプション若しくは増設ユニットの着脱、ファームウェア若しくはアプリケーションのセットアップ若しくは変更、管理者の権限に関する設定変更、又は、ユーザーごとの設定の変更をイベントとして検知することができる。
【００２３】
請求項４の情報処理装置によれば、イベントを検知した場合に変更が必要な設定として、着脱されたハードウェアオプション若しくは増設ユニットの運用設定、セットアップ若しくは変更されたファームウェア若しくはアプリケーションの運用設定、管理者の権限の設定変更、又は、ユーザーごとの設定の変更を含むことができる。
【００２４】
請求項５の情報処理装置によれば、変更の対象となった設定に関連して変更が必要となる設定を含むことができる。
【００２５】
請求項６の情報処理装置によれば、設定を保有する他の情報処理装置が複数ある場合は、本情報処理装置と他の情報処理装置との構成に基づいて、要求を行う対象である情報処理装置を選定することができる。
【００２６】
請求項７の情報処理装置によれば、複数の設定と同じ設定を保有する他の情報処理装置が存在しない場合は、個々の設定を有している複数の他の情報処理装置を選定することができる。
【００２７】
請求項８の情報処理装置によれば、複製されている他の情報処理装置に対して、複製の要求を行わないようにすることができる。
【００２８】
請求項９の情報処理装置によれば、要求できない場合は、既存の複製処理又は手動による複製処理を促すためユーザーに対して通知を行うことができる。
【００２９】
請求項１０の情報処理装置によれば、対象となる設定を保有する他の情報処理装置が存在しない場合を要求ができない場合とすることができる。
【００３０】
請求項１１の情報処理装置によれば、複製にふさわしくない設定が存在する場合、その設定に関する通知をユーザーに対して行うことができる。
【００３１】
請求項１２の情報処理システムによれば、情報処理装置の構成が変更された場合に、余分な記憶領域を消費してしまうことを抑制して、他の情報処理装置に対して、設定の複製を要求することができる。
【００３２】
請求項１３の情報処理プログラムによれば、情報処理装置の構成が変更された場合に、余分な記憶領域を消費してしまうことを抑制して、他の情報処理装置に対して、設定の複製を要求することができる。
【図面の簡単な説明】
【００３３】
【図１】本実施の形態の構成例についての概念的なモジュール構成図である。
【図２】本実施の形態を利用したシステム構成例を示す説明図である。
【図３】本実施の形態による処理例を示すフローチャートである。
【図４】本実施の形態による処理例を示す説明図である。
【図５】本実施の形態による処理例を示す説明図である。
【図６】検知対象イベント・変更対象設定テーブルのデータ構造例を示す説明図である。
【図７】本実施の形態による処理例を示す説明図である。
【図８】選定テーブルのデータ構造例を示す説明図である。
【図９】本実施の形態による処理例を示す説明図である。
【図１０】本実施の形態による処理例を示す説明図である。
【図１１】本実施の形態による処理例を示すフローチャートである。
【図１２】本実施の形態による処理例を示すフローチャートである。
【図１３】本実施の形態を実現するコンピュータのハードウェア構成例を示すブロック図である。
【発明を実施するための形態】
【００３４】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理ごとに又はモジュール内で複数の処理を行う場合はその処理ごとに、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３５】
本実施の形態である情報処理装置１００（デバイスともいわれる）は、他の情報処理装置１００に対して、設定の複製を要求するものであって、図１の例に示すように、アプリケーション管理モジュール１０５、フィニッシャー管理モジュール１４０、ＩＣカードリーダー管理モジュール１５０、クローニング処理モジュール１６０、構成変更処理モジュール１７５を有している。
情報処理装置１００は、構成変更のイベントを起点とするクローニングの実行処理を行う。なお、クローニング（以下、複製ともいう）とは、他の情報処理装置１００からデータ（アプリケーションプログラム、設定情報等を含む）を複製すること、又は、自情報処理装置１００のデータを他の情報処理装置１００に複製することをいう。
なお、情報処理装置１００は、クローニング対象であればよい。例えば、パーソナルコンピュータ、携帯端末装置、画像処理装置等がある。以下、例示する場合は、画像処理装置を用いる。
【００３６】
本実施の形態は、例えば、以下のような処理を行う。特に、この説明（本段落内の説明）は、本実施の形態の理解を容易にすることを目的とするものであり、この説明を用いて限定解釈することは意図していない。そして、この説明部分のみを用いて、特許を受けようとする発明が発明の詳細な説明に記載したものであること（特許法第３６条第６項第１号）の判断を行うべきではないことは当然である。
ある機器にてアプリケーションの設定を行い、アプリケーションのその設定を他の機器にて流用したい場合、操作者による再度の設定（１台目の機器での設定、さらに２台目の機器での設定）という手間を防止するため、従来よりクローニング（複製処理）による設定同期法が利用されている。
なお、一般的には、クローニング手法として、（１）ユーザーやシステムの指示に基づき、自機器の設定情報を他の機器へそのままストア（上書き）すること、（２）ユーザーが任意のタイミングで設定等のデータを中央処理装置等に１度バックアップしておき、その後、任意のタイミング、かつ、任意の他の機器へバックアップしたデータのリストアを行うことが行われている。
しかし、機器間で、ハードウェアオプション等の構成が異なると、そのアプリケーション又はその設定をクローニングの対象とすることができない。又は、クローニングを行ったとしても、ハードウェアオプション等の構成が一致した後に、再度クローニングが発生することになる。
特許文献１に記載の技術として、機器の構成変更した後に将来必要となる設定に関し、現状は使わない設定群も含めてクローニングしてしまうという手段がある。
この手段を適用することにより、操作者による再度のクローニング操作を不要とすることは可能である。
しかし、下記ケースでは前記手段の適用は好ましくなく、実用性の面で課題となる。つまり、構成変更が行われる前の時点で行う将来予測に依存する手段であり、将来予測されない突発的な構成変更による影響を予測、吸収しきれないものである。
（ケース１）
構成が変更されるまでの間は、設定についての記憶領域を必要以上に消費してしまうこととなる。例えば、外部機器を接続した場合に備えて、その外部機器に関する各種設定を、設定領域又は一次記憶領域に保存しておく。しかし、外部機器を接続するまでは、それは利用されないものであり（無駄であり）、リソース活用率の観点から好ましくない。
（ケース２）
構成が変更されるまでの間は、設定行為そのものが許可されないことがある。例えば、外部機器を接続するまでは安全装置が働いて設定すること自体が不可能であること、又は、設定先オブジェクトがまだ利用可能状態にはなっていない（いわゆる未デプロイ状態）であること等がある。
（ケース３）
その他にも、前記手段は当該ハードウェアオプションのどのバージョンまでの設定情報をクローニングするかが実用的な課題となる。例えば、旧バージョン（例えば、Ｖｅｒ１）のデータを包含したクローニングデータは、新バージョン（例えば、Ｖｅｒ３）の外部機器が接続された場合に、有効ではない可能性がある。つまり、対象ハードウェアオプションの設定情報において、前方互換関係上の陳腐化が生じる。
そこで、情報処理装置１００は、機器内の構成が変更されたことを検知し、それをトリガにして、本機器と通信可能な他の機器（一般的には、複数の機器）の構成、そして、その他の機器が保有している設定をもとに複製元となる機器を決定し、イベント駆動型でクローニングを実行する。つまり、将来予測に頼る手段ではなく、設定更新がされたときの状況に基づきクローニングを行う。これによって、前述の３種のケースにも対応でき、突然の構成変更に対してもフレキシブルに応対するクローニングを実現する。
【００３７】
情報処理装置１００内の変更可能な構成として、例えば、アプリケーション管理モジュール１０５内のアプリケーション、フィニッシャー管理モジュール１４０、ＩＣカードリーダー管理モジュール１５０等の外部機器（ハードウェアオプション）がある。したがって、アプリケーション管理モジュール１０５内のアプリケーションＡ１１０がセットアップ（インストール）、アップグレード等された場合、フィニッシャー管理モジュール１４０等が新たに設置された場合（情報処理装置１００とフィニッシャー管理モジュール１４０等が接続された場合）、フィニッシャー管理モジュール１４０等の交換が行われた場合等が、構成変更検知モジュール１８０によって、構成変更のイベントとして検知され得る。
【００３８】
アプリケーション管理モジュール１０５は、アプリケーションＡ１１０、アプリケーションＸ１３０を有しており、構成変更処理モジュール１７５の構成変更検知モジュール１８０と接続されている。アプリケーションＡ１１０、アプリケーションＸ１３０がインストールされた状態（又は、これからインストールされる状態）を示している。
【００３９】
アプリケーションＡ１１０は、ＵＩ／操作モジュール１１５、アプリ制御モジュール１２０、運用設定モジュール１２５を有している。アプリケーションＡ１１０として、例えば、情報処理装置１００が画像処理装置である場合は、プリント処理のアドオンソフト等が該当する。
ＵＩ／操作モジュール１１５は、アプリ制御モジュール１２０と接続されている。ＵＩ／操作モジュール１１５は、ユーザーインタフェースの機能を有しており、例えば、タッチパネルを兼ねる液晶ディスプレイを制御して、ユーザーの操作を受け付け、ユーザーに対してメッセージ等を提示する。この他、マウス、キーボード、カメラ、マイク等を用いたユーザーの操作（視線、ジェスチャ、音声等も含む）を受け付けるようにしてもよいし、スピーカーによる音声出力、触覚デバイスを用いた触感によって、ユーザーへのメッセージを提示するようにしてもよい。
アプリ制御モジュール１２０は、ＵＩ／操作モジュール１１５、運用設定モジュール１２５と接続されている。アプリ制御モジュール１２０は、アプリケーションそのものの処理を制御する。その際に、本情報処理装置１００における設定を運用設定モジュール１２５から取得（Ｇｅｔ）して、アプリケーションの処理を行う。
運用設定モジュール１２５は、アプリ制御モジュール１２０、クローニング処理モジュール１６０と接続されている。運用設定モジュール１２５は、クローニング処理モジュール１６０によって取得された設定情報を設定、管理する。例えば、設定情報として、本情報処理装置１００では、両面印刷をデフォルト（初期設定）とする設定等が該当する。
【００４０】
アプリケーションＸ１３０は、運用設定モジュール１３５を有している。アプリケーションＸ１３０として、例えば、情報処理装置１００が画像処理装置である場合は、スキャン処理のアドオンソフト等が該当する。
運用設定モジュール１３５は、クローニング処理モジュール１６０と接続されている。運用設定モジュール１３５は、クローニング処理モジュール１６０によって取得された設定情報を設定、管理する。例えば、設定情報として、本情報処理装置１００では、白黒データ（２値データ）の読み取りをデフォルトとする設定等が該当する。
【００４１】
フィニッシャー管理モジュール１４０は、運用設定モジュール１４５を有しており、構成変更処理モジュール１７５の構成変更検知モジュール１８０と接続されている。フィニッシャー管理モジュール１４０は、情報処理装置１００に備え付けられた状態（又は、これから接続される状態）を示している。
運用設定モジュール１４５は、クローニング処理モジュール１６０と接続されている。運用設定モジュール１４５は、クローニング処理モジュール１６０によって取得された設定情報（運用設定）を設定する。そして、穴あけ（パンチ）、ステープラー等の機能を有するフィニッシャーにおける運用設定を管理する。例えば、運用設定として、穴あけは２穴をデフォルトとする運用設定等が該当する。
ＩＣカードリーダー管理モジュール１５０は、運用設定モジュール１５５を有しており、構成変更処理モジュール１７５の構成変更検知モジュール１８０と接続されている。ＩＣカードリーダー管理モジュール１５０は、情報処理装置１００に備え付けられた（又は、これから接続される状態）を示している。
運用設定モジュール１５５は、クローニング処理モジュール１６０と接続されている。運用設定モジュール１５５は、クローニング処理モジュール１６０によって取得された設定情報（運用設定）を設定する。そして、ＩＣカードリーダーにおける運用設定を管理する。例えば、運用設定として、予め定められた通信プロトコル（ブロック伝送プロトコル）をデフォルトとする運用設定等が該当する。
【００４２】
クローニング処理モジュール１６０は、複製要求モジュール１６５、複製処理モジュール１７０を有しており、アプリケーションＡ１１０の運用設定モジュール１２５、アプリケーションＸ１３０の運用設定モジュール１３５、フィニッシャー管理モジュール１４０の運用設定モジュール１４５、ＩＣカードリーダー管理モジュール１５０の運用設定モジュール１５５、構成変更処理モジュール１７５、情報処理装置１００Ａのクローニング処理モジュール１６０Ａと接続されている。クローニング処理モジュール１６０は、複製要求モジュール１６５による要求の返信として受け取った設定を、その設定が必要なモジュール（アプリケーション管理モジュール１０５内のアプリケーション、クローニング処理モジュール１６０、ＩＣカードリーダー管理モジュール１５０等）に設定（Ｓｅｔ）する。
【００４３】
複製要求モジュール１６５は、変更対象設定抽出モジュール１８５によって抽出された設定を保有する他の情報処理装置１００（他情報処理装置の保有設定把握モジュール１９０で対象とされた情報処理装置１００）に、本情報処理装置１００へ、その設定を複製するよう要求する（その設定を送信するよう要求する）。
また、複製要求モジュール１６５は、変更対象設定抽出モジュール１８５によって抽出された設定を保有する他の情報処理装置１００が複数ある場合は、本情報処理装置１００とその他の情報処理装置１００との構成に基づいて、要求を行う対象である情報処理装置１００を選定するようにしてもよい。ここで「本情報処理装置１００とその他の情報処理装置１００との構成に基づいて」として、例えば、本情報処理装置１００とその他の情報処理装置１００との構成差がないこと、その構成差が最も少ないこと、同じ構成が最も多いこと等を含む。ここで比較対象となる構成は、予め定められた構成項目であってもよい。
また、複製要求モジュール１６５は、変更対象設定抽出モジュール１８５によって抽出された複数の設定と同じ設定を保有する他の情報処理装置１００が存在しない場合は、個々の設定を有している複数の他の情報処理装置１００を選定するようにしてもよい。ここで「複数の設定と同じ設定を保有する他の情報処理装置１００」として、複数の設定と同じ設定を全て保有する他の情報処理装置１００がある。
【００４４】
また、複製要求モジュール１６５は、他の情報処理装置１００が複製されている場合は、その他の情報処理装置１００に対して、複製の要求を行わないようにしてもよい。ここで「他の情報処理装置１００が複製されている場合」とは、他の情報処理装置１００Ｂがさらに他の情報処理装置１００Ｃ（本情報処理装置１００ではなく、さらに、情報処理装置１００Ｂでもない情報処理装置１００）から、複製処理を受けている場合（被複製されている場合）である。つまり、他の情報処理装置１００Ｂが他の情報処理装置１００Ｃに対して、複製するよう要求している場合である。この場合は、情報処理装置１００Ｂへの複製が行われることによって、情報処理装置１００Ｂの設定自体が変更されることになるため、複製処理の安全性、安定性を確保するためである。
なお、「他の情報処理装置１００が複製されている場合」を検知するタイミングとして、例えば、他の情報処理装置１００の構成を確認しているときがある。その場合、そのときに「他の情報処理装置１００が複製されている」状況である場合が、「他の情報処理装置１００が複製されている場合」に該当することになる。
また、「複製の要求を行わない」として、複数の要求を送信しないこと、複数の要求を禁止すること等を含む。
また、複製要求モジュール１６５は、複製要求モジュール１６５による要求ができない場合は、既存の複製処理又は手動による複製処理を促すためユーザーに対して通知を行うようにしてもよい。ここで「要求ができない場合」として、対象となる設定を保有する他の情報処理装置１００が存在しない場合を含めてもよい。
また、複製要求モジュール１６５は、複製にふさわしくない設定が存在する場合、その設定に関する通知をユーザーに対して行うようにしてもよい。ここで「複製にふさわしくない設定」として、例えば、親展ボックスの設定、複製を要求する情報処理装置１００が白黒機であるにもかかわらず、複製を行う情報処理装置１００がフルカラー機である場合に、フルカラー機の出力設定等が該当する。
【００４５】
複製処理モジュール１７０は、他の情報処理装置１００（情報処理装置１００Ａ）の複製要求モジュール１６５（複製要求モジュール１６５Ａ）から複製の要求を受け付けた場合は、その他の情報処理装置１００（情報処理装置１００Ａ）に対し、その要求にしたがった設定の複製を行う。具体的には、自情報処理装置１００内の設定を抽出し、要求を行ったその他の情報処理装置１００（情報処理装置１００Ａ）にその設定を送信する。
ここでの「他の情報処理装置１００」は、複製要求元の情報処理装置１００Ａである。したがって、要求を受けた情報処理装置１００は、設定に関し複製要求元の情報処理装置１００Ａに対し指定の設定の複製を行う。なお、「他の情報処理装置１００」には、「クラウド上にある複製処理を管理する装置」も含まれる。特に、クラウドで処理をする場合（つまり、クラウド上の装置で実施する場合）は、ファイアーウォール越え等の処理が必要である。
また、各情報処理装置１００は複製要求モジュール１６５と複製処理モジュール１７０を有している場合、各情報処理装置１００は、非同期で複製処理が可能となる。
【００４６】
構成変更処理モジュール１７５は、構成変更検知モジュール１８０、変更対象設定抽出モジュール１８５、他情報処理装置の保有設定把握モジュール１９０を有しており、クローニング処理モジュール１６０と接続されている。
構成変更検知モジュール１８０は、アプリケーション管理モジュール１０５、フィニッシャー管理モジュール１４０、ＩＣカードリーダー管理モジュール１５０、変更対象設定抽出モジュール１８５と接続されている。構成変更検知モジュール１８０は、本情報処理装置１００に関する構成を変更するイベントが発生したことを検知する。ここで「イベントが発生した場合」とは、イベントを待機し、起こったイベント（又は検知したイベント）にしたがって処理を行うものである。いわゆるイベント駆動型を指している。
検知対象であるイベントとして、本情報処理装置１００のハードウェアオプション若しくは増設ユニットの着脱、ファームウェア若しくはアプリケーションのセットアップ若しくは変更、管理者の権限に関する設定変更、又は、ユーザーごとの設定の変更を含む。ここで「ファームウェア若しくはアプリケーションのセットアップ若しくは変更」には、そのファームウェア若しくはアプリケーションのバージョン変更（アップデート、ダウングレードと含む）を含む。
【００４７】
変更対象設定抽出モジュール１８５は、構成変更検知モジュール１８０、他情報処理装置の保有設定把握モジュール１９０と接続されている。変更対象設定抽出モジュール１８５は、構成変更検知モジュール１８０によって、本情報処理装置１００に関する構成を変更するイベントが発生したことを検知した場合、現在の状態から変更が必要な設定を抽出する。ここで「イベントを検知した場合に変更が必要な設定」として、着脱されたハードウェアオプション若しくは増設ユニットの運用設定、セットアップ若しくは変更されたファームウェア若しくはアプリケーションの運用設定、管理者の権限の設定変更、又は、ユーザーごとの設定の変更を含むようにしてもよい。さらに、「変更が必要な設定」として、ここで変更の対象となった設定に関連して変更が必要となる設定を含むようにしてもよい。ここで「設定に関連して変更が必要となる設定」とは、いわゆる芋づる式で設定の変更の必要性が発生しうる他の設定のことである。例えば、管理者による設定で、画像処理装置においてコピー（複写）禁止とした場合、アドオンソフトであるコピーアプリケーションにおいてもコピー禁止とすること等が該当する。
【００４８】
他情報処理装置の保有設定把握モジュール１９０は、変更対象設定抽出モジュール１８５、情報処理装置１００Ａと接続されている。他情報処理装置の保有設定把握モジュール１９０は、他の情報処理装置１００（情報処理装置１００Ａ等）と通信を行い、他の情報処理装置１００の構成、保有している設定等を取得する。そして、他情報処理装置の保有設定把握モジュール１９０は、変更対象設定抽出モジュール１８５によって抽出された設定を保有する他の情報処理装置１００を複製要求先の対象とする選定を行う。
【００４９】
情報処理装置１００Ａは、他の情報処理装置１００であって、情報処理装置１００と同様に、クローニング処理モジュール１６０Ａ、構成変更処理モジュール１７５Ａを有している。情報処理装置１００Ａは、情報処理装置１００内の構成変更処理モジュール１７５の他情報処理装置の保有設定把握モジュール１９０と接続されている。
クローニング処理モジュール１６０Ａは、複製要求モジュール１６５Ａ、複製処理モジュール１７０Ａを有しており、情報処理装置１００のクローニング処理モジュール１６０と接続されている。
情報処理装置１００Ａ内のモジュールは、情報処理装置１００と同等のものである。なお、アプリケーション管理モジュール１０５、フィニッシャー管理モジュール１４０、ＩＣカードリーダー管理モジュール１５０等を有していてもよいし、他のアプリケーション、他のハードウェアオプション等を有していてもよい。
【００５０】
なお、複製を要求する情報処理装置１００は、複製処理モジュール１７０を有していなくてもよい。複製処理モジュール１７０は、複製の要求を受けるモジュールだからである。一方、複製の要求を受ける情報処理装置１００（例えば、情報処理装置１００Ａ）は、複製要求モジュール１６５、構成変更処理モジュール１７５を有していなくてもよい。複製要求モジュール１６５、構成変更処理モジュール１７５は、複製の要求を行うモジュールだからである。ただし、いずれの情報処理装置１００においても、複製の要求を行うこと、複製の要求を受けて複製処理を行うことの両方を行うことが望ましいので、１つの情報処理装置１００内に、複製要求モジュール１６５、複製処理モジュール１７０、構成変更処理モジュール１７５を有することが好ましい。
【００５１】
図２は、本実施の形態を利用したシステム構成例を示す説明図である。
情報処理装置１００、情報処理装置１００Ａ、情報処理装置１００Ｂ、情報処理装置１００Ｃは、通信回線２９０を介してそれぞれ接続されている。通信回線２９０は、無線、有線、これらの組み合わせであってもよく、例えば、通信インフラとしてのインターネット、イントラネット等であってもよい。そして、相互に通信可能な２台以上の情報処理装置１００に関し、各情報処理装置１００は自情報処理装置１００の設定を相手の情報処理装置１００へ複製するためのインタフェース（クローニング処理モジュール１６０、構成変更処理モジュール１７５）を相互に要する。
例えば、情報処理装置１００が新たにアプリケーションをインストールした場合、情報処理装置１００と同等の構成を有している情報処理装置１００Ａから、そのアプリケーションに必要な運用設定を取得し、その運用設定をそのアプリケーションに設定する。以後、情報処理装置１００では、情報処理装置１００Ａと同じ運用設定で情報処理装置１００を使用することができるようになる。
【００５２】
図３は、本実施の形態による処理例を示すフローチャートである。
ステップＳ３０２では、構成変更検知モジュール１８０は、構成の変更のイベントを検知したか否かを判断し、検知した場合はステップＳ３０４へ進み、それ以外の場合は検知するまで待機する。
ステップＳ３０４では、変更対象設定抽出モジュール１８５は、そのイベントによって、変更が必要となる（又は、新たに必要となる）設定内容を抽出する。
ステップＳ３０６では、他情報処理装置の保有設定把握モジュール１９０は、他の情報処理装置１００に対して、構成情報と保有している設定を取得するためのリクエストを発行する。
【００５３】
ステップＳ３０８では、他情報処理装置の保有設定把握モジュール１９０は、リクエストの返信を受信する。
ステップＳ３１０では、他情報処理装置の保有設定把握モジュール１９０は、ステップＳ３０４で抽出した設定内容を有している情報処理装置１００を抽出する。
ステップＳ３１２では、他情報処理装置の保有設定把握モジュール１９０は、ステップＳ３１０で抽出した情報処理装置１００は複数あるか否かを判断し、複数ある場合はステップＳ３１４へ進み、それ以外の場合はステップＳ３１６へ進む。
【００５４】
ステップＳ３１４では、他情報処理装置の保有設定把握モジュール１９０は、自情報処理装置１００の構成との差が最も少ない情報処理装置１００を選定する。
ステップＳ３１６では、他情報処理装置の保有設定把握モジュール１９０は、ステップＳ３１０で抽出した情報処理装置１００を選定する。
ステップＳ３１８では、複製要求モジュール１６５は、ステップＳ３１４又はステップＳ３１６で選定した情報処理装置１００に変更された構成の設定（ステップＳ３０４で抽出した設定）を要求する。
【００５５】
ステップＳ３２０では、複製要求モジュール１６５は、ステップＳ３１８での要求の返信を受信する。
ステップＳ３２２では、クローニング処理モジュール１６０は、ステップＳ３２０で受信した構成の設定を自情報処理装置１００内に設定する。
なお、ステップＳ３０４で、必要な設定情報が複数ある場合は、ステップＳ３１０で、その必要な設定情報の全てを有している情報処理装置１００を抽出する。ただし、必要な設定情報の全てを有している情報処理装置１００がない場合（つまり、必要とする複数の設定と同じ設定を保有する他の情報処理装置１００が存在しない場合）は、設定情報ごとに、その設定情報を有している情報処理装置１００（複数の情報処理装置１００になる）を抽出する。そして、それらの情報処理装置１００から個々の設定情報を送信してもらうようにすればよい。
【００５６】
図４から図１０の例を用いて、図３に示したフローチャートの具体的な処理例を示す。
図４は、本実施の形態による処理例を示す説明図である。
前提として、相互に通信可能な２台以上の情報処理装置１００に関し、それらの各情報処理装置１００は自情報処理装置１００の設定を相手の情報処理装置１００へ複製するためのインタフェースを相互に要している。
図４の例では、情報処理装置１００、情報処理装置１００Ａ、情報処理装置１００Ｂは、通信回線２９０を介して、相互に通信可能であって、互いに設定の複製が可能な状態である。
なお、情報処理装置１００は、アプリケーションＡ：４１０、アプリケーションＢ：４２０を有している。アプリケーションＡ：４１０は、設定情報４１２を有している。アプリケーションＢ：４２０は、設定情報４２２を有している。
また、情報処理装置１００Ａは、アプリケーションＡ：４１０Ａ、アプリケーションＢ：４２０Ａ、アプリケーションＣ：４３０Ａ、フィニッシャー４４０Ａを有している。アプリケーションＡ：４１０Ａは、設定情報４１２Ａを有している。アプリケーションＢ：４２０Ａは、設定情報４２２Ａを有している。アプリケーションＣ：４３０Ａは、設定情報４３２Ａを有している。フィニッシャー４４０Ａは、設定情報４４２Ａを有している。
また、情報処理装置１００Ｂは、アプリケーションＡ：４１０Ｂ、アプリケーションＢ：４２０Ｂ、アプリケーションＣ：４３０Ｂを有している。アプリケーションＡ：４１０Ｂは、設定情報４１２Ｂを有している。アプリケーションＢ：４２０Ｂは、設定情報４２２Ｂを有している。アプリケーションＣ：４３０Ｂは、設定情報４３２Ｂを有している。
【００５７】
図５は、本実施の形態による処理例を示す説明図である。
図４の例に示す状態から、ユーザー５１０が情報処理装置１００にアプリケーションＣ：４３０をインストールしたとする。したがって、アプリケーションＣ：４３０の設定情報を取得して設定する必要がある。ここでは、図３の例に示すフローチャート内のステップＳ３０２、ステップＳ３０４の処理が行われる。つまり、ステップＳ３０２では、アプリケーションＣ：４３０がインストールされたことを検知し、ステップＳ３０４の処理に進む。
【００５８】
ステップＳ３０４の処理では、アプリケーションＣ：４３０がインストールされたことによって必要となる設定情報を、例えば、検知対象イベント・変更対象設定テーブル６００から抽出する。図６は、検知対象イベント・変更対象設定テーブル６００のデータ構造例を示す説明図である。検知対象イベント・変更対象設定テーブル６００は、ＩＤ欄６１０、検知対象イベント欄６２０、変更対象設定欄６３０を有している。ＩＤ欄６１０は、イベントを本実施の形態で一意に識別するための情報であるＩＤ（ＩＤｅｎｔｉｆｉｃａｔｉｏｎ）を記憶している。検知対象イベント欄６２０は、検知対象となっているイベントを記憶している。変更対象設定欄６３０は、そのイベントを検知した場合の変更対象の設定情報を記憶している。
例えば、ＩＤが「１」の検知対象イベントが「ＡｄｄＯｎアプリケーションインストール」である場合は、変更対象の設定として「当該アプリケーション設定」の必要があり、ＩＤが「２」の検知対象イベントが「ＡｄｄＯｎアプリケーションアップデート」である場合は、変更対象の設定として「当該アプリケーション設定」の必要があり、ＩＤが「４」の検知対象イベントが「フィニッシャー装着」である場合は、変更対象の設定として「フィニッシャー管理者設定」、「フィニッシャー利用プリント系アプリケーション設定」、「フィニッシャー利用コピー系アプリケーション設定」の必要があり、ＩＤが「５」の検知対象イベントが「フィニッシャー脱着」である場合は、変更対象の設定として「フィニッシャー管理者設定」の必要がある。
図５の例の場合は、アプリケーションＣ：４３０がインストールされたので、検知対象イベント・変更対象設定テーブル６００の１行目（ＩＤが「１」）から「当該アプリケーション設定」を変更対象となる設定として抽出する。
なお、検知対象イベント・変更対象設定テーブル６００の３行目のように、フィニッシャーの装着を検知した場合は、「フィニッシャーの管理者設定」という設定の他に、その設定にともなって（いわゆる芋づる式に）、「フィニッシャー利用プリント系アプリケーション設定」、「フィニッシャー利用コピー系アプリケーション設定」という２つの設定が必要であることを抽出できる。
また、検知したイベントが、検知対象イベント・変更対象設定テーブル６００の検知対象イベント欄６２０にあるか否かによって、検知対象とすべきイベントである（設定を変更すべきイベントである）か否かを照合していることになる。
【００５９】
図７は、本実施の形態による処理例を示す説明図である。
ステップＳ７０２では、ステップＳ３０４の処理によって、要件として、アプリケーションＣ：４３０には設定情報が必要であることが判明する。
そして、通信可能な他の情報処理装置１００（図７の例では、情報処理装置１００Ａ、情報処理装置１００Ｂ）の内、自情報処理装置１００が必要とする設定情報を保有する情報処理装置１００を検出する。つまり、ここでは、図３の例に示すフローチャート内のステップＳ３０６の処理が行われる。
ステップＳ７０４Ａでは、他情報処理装置の保有設定把握モジュール１９０は、情報処理装置１００Ａに対し、構成情報／保有設定を取得するためのリクエストを発行する。
ステップＳ７０４Ｂでは、他情報処理装置の保有設定把握モジュール１９０は、情報処理装置１００Ｂに対し、構成情報／保有設定を取得するためのリクエストを発行する。
【００６０】
ステップＳ７０４Ａ、ステップＳ７０４Ｂの処理結果として、情報処理装置１００Ａ、情報処理装置１００Ｂからリクエストの返信を受信する。その返信から、選定テーブル８００を生成する。ここでは、図３の例に示すフローチャート内のステップＳ３０８からステップＳ３１４の処理が行われる。
図８は、選定テーブル８００のデータ構造例を示す説明図である。選定テーブル８００は、列方向に自情報処理装置１００欄８１０、情報処理装置１００Ｂ欄８２０、情報処理装置１００Ａ欄８３０を有しており、行方向に構成情報欄８４０、構成差が最も小さい情報処理装置欄８５０を有している。自情報処理装置１００欄８１０は、自情報処理装置１００についての構成情報等を記憶している。情報処理装置１００Ｂ欄８２０は、情報処理装置１００Ｂについての構成情報等を記憶している。情報処理装置１００Ａ欄８３０は、情報処理装置１００Ａについての構成情報等を記憶している。構成情報欄８４０は、構成情報を記憶している。構成差が最も小さい情報処理装置欄８５０は、自情報処理装置１００との構成差が最も小さい情報処理装置であるか否かの情報を記憶している。
【００６１】
ステップＳ３０４で抽出した設定（アプリケーションＣ：４３０の設定情報）を有している情報処理装置として、情報処理装置１００Ａ、情報処理装置１００Ｂがある。つまり、対象としている設定と同じ設定を保有する他の情報処理装置が２台以上存在した場合である。その内、自情報処理装置１００との構成差が最も少ない情報処理装置を選定する。
図８の例では、情報処理装置１００はアプリケーションＡ：４１０、アプリケーションＢ：４２０、アプリケーションＣ：４３０を有しており、情報処理装置１００ＢはアプリケーションＡ：４１０Ｂ、アプリケーションＢ：４２０Ｂ、アプリケーションＣ：４３０Ｂを有しており、情報処理装置１００ＡはアプリケーションＡ：４１０Ａ、アプリケーションＢ：４２０Ａ、アプリケーションＣ：４３０Ａ、フィニッシャー４４０Ａを有している。
したがって、情報処理装置１００Ｂが情報処理装置１００との構成差が最も小さいものであるので、情報処理装置１００Ｂを選定する。
なお、構成差が最も小さいものは、構成差がある情報処理装置の場合、取得してくる設定に構成差の影響を受けた値がセットされている可能性があるからである。例えば、情報処理装置１００ＡのアプリケーションＣの設定情報にはフィニッシャーを利用した運用設定がセットされており、それは自情報処理装置１００と相容れない設定である。つまり、フィニッシャーによって、アプリケーションＣが影響を受けるからである。
【００６２】
図９は、本実施の形態による処理例を示す説明図である。図８の例で説明したように、選定した情報処理装置１００Ｂに対し、複製要求を発行する。つまり、ここでは、図３の例に示すフローチャート内のステップＳ３１８の処理が行われる。
ステップＳ７０２は、図７で説明した通りである。
ステップＳ７０６では、情報処理装置１００Ｂに対し、アプリケーションＣ：４３０の設定情報を複製する要求を発行する。
【００６３】
図１０は、本実施の形態による処理例を示す説明図である。
複製要求に対し、情報処理装置１００Ｂは自情報処理装置１００に対して複製処理（設定情報４３２Ｂの送信）を行う。つまり、ここでは、図３の例に示すフローチャート内のステップＳ３２０、ステップＳ３２２の処理が行われる。
ステップＳ７０８では、アプリケーションＣ：４３０Ｂの設定情報である設定情報４３２Ｂを抽出し、情報処理装置１００に複製（送信）する。
そして、情報処理装置１００は、アプリケーションＣ：４３０に設定情報４３２Ｂ（図１０では、設定情報１０１０）を設定する。
【００６４】
図１１は、本実施の形態による処理例を示すフローチャートである。つまり、複製の要求を受けた情報処理装置１００（前述の例では、情報処理装置１００Ｂ）の処理例を示すものである。
ステップＳ１１０２では、他の情報処理装置１００から複製の要求を受け付けたか否かを判断し、受け付けた場合はステップＳ１１０４へ進み、それ以外の場合は複製の要求を受け付けるまで待機する。
ステップＳ１１０４では、要求された設定情報を抽出する。
ステップＳ１１０６では、要求を行った情報処理装置１００に対して、設定情報を送信する。
【００６５】
図１２は、本実施の形態による処理例を示すフローチャートである。
ステップＳ１２０２では、構成変更検知モジュール１８０は、構成の変更のイベントを検知したか否かを判断し、検知した場合はステップＳ１２０４へ進み、それ以外の場合は検知するまで待機する。
ステップＳ１２０４では、変更対象設定抽出モジュール１８５は、そのイベントによって、変更が必要となる（又は、新たに必要となる）設定内容を抽出する。
ステップＳ１２０６では、他情報処理装置の保有設定把握モジュール１９０は、他の情報処理装置１００に対して、構成情報と保有している設定を取得するためのリクエストを発行する。
【００６６】
ステップＳ１２０８では、他情報処理装置の保有設定把握モジュール１９０は、リクエストの返信を受信する。
ステップＳ１２１０では、他情報処理装置の保有設定把握モジュール１９０は、返信内に被複製中であることを示す情報が含まれている情報処理装置１００を除外する。前述したように、対象となっている設定情報が複製によって変更されてしまうことがあるからである。なお、もちろんのことながら、リクエストを受けた他の情報処理装置１００は、現在、被複製中であるか否かを示す情報を返信する。
ステップＳ１２１２では、他情報処理装置の保有設定把握モジュール１９０は、ステップＳ１２０４で抽出した設定内容を有している情報処理装置１００を抽出する。
【００６７】
ステップＳ１２１４では、他情報処理装置の保有設定把握モジュール１９０は、ステップＳ１２１２で抽出した情報処理装置１００は複数あるか否かを判断し、複数ある場合はステップＳ１２１６へ進み、それ以外の場合はステップＳ１２１８へ進む。
ステップＳ１２１６では、他情報処理装置の保有設定把握モジュール１９０は、自情報処理装置１００の構成との差が最も少ない情報処理装置１００を選定する。
ステップＳ１２１８では、他情報処理装置の保有設定把握モジュール１９０は、ステップＳ１２１２で抽出した情報処理装置１００を選定する。
【００６８】
ステップＳ１２２０では、複製要求モジュール１６５は、ステップＳ１２１６又はステップＳ１２１８で選定した情報処理装置１００に変更された構成の設定を要求する。
ステップＳ１２２２では、複製要求モジュール１６５は、ステップＳ１２２０での要求の返信を受信する。
ステップＳ１２２４では、クローニング処理モジュール１６０は、ステップＳ１２２２で受信した構成の設定を自情報処理装置１００内に設定する。
【００６９】
図１３を参照して、本実施の形態の情報処理装置１００のハードウェア構成例について説明する。図１３に示す構成は、例えばパーソナルコンピュータ（ＰＣ）等によって構成されるものであり、スキャナ等のデータ読み取り部１３１７と、プリンタ等のデータ出力部１３１８を備えたハードウェア構成例を示している。
【００７０】
ＣＰＵ（Ｃｅｎｔｒａｌ  Ｐｒｏｃｅｓｓｉｎｇ  Ｕｎｉｔ）１３０１は、前述の実施の形態において説明した各種のモジュール、すなわち、アプリケーション管理モジュール１０５、アプリケーションＡ１１０、ＵＩ／操作モジュール１１５、アプリ制御モジュール１２０、運用設定モジュール１２５、アプリケーションＸ１３０、運用設定モジュール１３５、フィニッシャー管理モジュール１４０、運用設定モジュール１４５、ＩＣカードリーダー管理モジュール１５０、運用設定モジュール１５５、クローニング処理モジュール１６０、複製要求モジュール１６５、複製処理モジュール１７０、構成変更処理モジュール１７５、構成変更検知モジュール１８０、変更対象設定抽出モジュール１８５、他情報処理装置の保有設定把握モジュール１９０等の各モジュールの実行シーケンスを記述したコンピュータ・プログラムにしたがった処理を実行する制御部である。
【００７１】
ＲＯＭ（Ｒｅａｄ  Ｏｎｌｙ  Ｍｅｍｏｒｙ）１３０２は、ＣＰＵ１３０１が使用するプログラムや演算パラメータ等を格納する。ＲＡＭ（Ｒａｎｄｏｍ  Ａｃｃｅｓｓ  Ｍｅｍｏｒｙ）１３０３は、ＣＰＵ１３０１の実行において使用するプログラムや、その実行において適宜変化するパラメータ等を格納する。これらはＣＰＵバス等から構成されるホストバス１３０４により相互に接続されている。
【００７２】
ホストバス１３０４は、ブリッジ１３０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１３０６に接続されている。
【００７３】
キーボード１３０８、マウス等のポインティングデバイス１３０９は、操作者により操作されるデバイスである。ディスプレイ１３１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１３０９とディスプレイ１３１０の両方の機能を備えているタッチスクリーン等であってもよい。その場合、キーボードの機能の実現について、キーボード１３０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００７４】
ＨＤＤ（Ｈａｒｄ  Ｄｉｓｋ  Ｄｒｉｖｅ）１３１１は、ハードディスク（フラッシュ・メモリ等であってもよい）を内蔵し、ハードディスクを駆動し、ＣＰＵ１３０１によって実行するプログラムや情報を記録又は再生させる。ハードディスクには、アプリケーションプログラム、設定情報等が格納される。さらに、その他の各種データ、各種コンピュータ・プログラム等が格納される。
【００７５】
ドライブ１３１２は、装着されている磁気ディスク、光ディスク、光磁気ディスク、又は半導体メモリ等のリムーバブル記録媒体１３１３に記録されているデータ又はプログラムを読み出して、そのデータ又はプログラムを、インタフェース１３０７、外部バス１３０６、ブリッジ１３０５、及びホストバス１３０４を介して接続されているＲＡＭ１３０３に供給する。なお、リムーバブル記録媒体１３１３も、データ記録領域として利用可能である。
【００７６】
接続ポート１３１４は、外部接続機器１３１５を接続するポートであり、ＵＳＢ、ＩＥＥＥ１３９４等の接続部を持つ。接続ポート１３１４は、インタフェース１３０７、及び外部バス１３０６、ブリッジ１３０５、ホストバス１３０４等を介してＣＰＵ１３０１等に接続されている。通信部１３１６は、通信回線に接続され、外部とのデータ通信処理を実行する。データ読み取り部１３１７は、例えばスキャナであり、ドキュメントの読み取り処理を実行する。データ出力部１３１８は、例えばプリンタであり、ドキュメントデータの出力処理を実行する。
【００７７】
なお、図１３に示す情報処理装置１００のハードウェア構成は、１つの構成例を示すものであり、本実施の形態は、図１３に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１３に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００７８】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７９】
１００…情報処理装置
１０５…アプリケーション管理モジュール
１１０…アプリケーションＡ
１１５…ＵＩ／操作モジュール
１２０…アプリ制御モジュール
１２５…運用設定モジュール
１３０…アプリケーションＸ
１３５…運用設定モジュール
１４０…フィニッシャー管理モジュール
１４５…運用設定モジュール
１５０…ＩＣカードリーダー管理モジュール
１５５…運用設定モジュール
１６０…クローニング処理モジュール
１６５…複製要求モジュール
１７０…複製処理モジュール
１７５…構成変更処理モジュール
１８０…構成変更検知モジュール
１８５…変更対象設定抽出モジュール
１９０…他情報処理装置の保有設定把握モジュール
２９０…通信回線
【図１】
2019153202.tif 000003
【図２】
2019153202.tif 000004
【図３】
2019153202.tif 000005
【図４】
2019153202.tif 000006
【図５】
2019153202.tif 000007
【図６】
2019153202.tif 000008
【図７】
2019153202.tif 000009
【図８】
2019153202.tif 000010
【図９】
2019153202.tif 000011
【図１０】
2019153202.tif 000012
【図１１】
2019153202.tif 000013
【図１２】
2019153202.tif 000014
【図１３】
2019153202.tif 000015